(57)【要約】【課題】  ＶｏＩＰ形式ではない電話交換機及び端末機器の音声及びイベント情報を、ＳＩＰサーバを介してネットワーク上のプライベートアドレス空間のＳＩＰ端末との間で授受できるＳＩＰ電話交換システムを提供することにある。【解決手段】  端末機器の操作情報及びポート番号を含むイベント情報をプライベートアドレス空間に出力可能な電話交換機と、電話交換機からの音声を、音声パケットに変換するＶｏＩＰゲートウェイと、ＳＩＰプロトコルによるＩＰ電話網の制御を行うＳＩＰサーバと、ＳＩＰサーバによって音声パケットがＳＩＰプロトコルに則った形式にされた通信パケットに、イベント情報を付加するイベント制御手段とを備え、ＳＩＰプロトコルにより音声とイベント情報とを授受可能なＳＩＰ端末と端末機器との間で、音声とイベント情報とを一体で、授受できることを特徴とする。【選択図】図１
2014090229.tif 000002
【特許請求の範囲】
【請求項１】
ネットワーク上のプライベートアドレス空間で音声通信を行うＳＩＰ電話交換システムにおいて、
音声を授受するための端末機器が接続されると共に、該端末機器の操作情報及びポート番号を含むイベント情報を該プライベートアドレス空間に出力可能な電話交換機と、
該電話交換機からの音声を、音声パケットに変換して該プライベートアドレス空間に接続するＶｏＩＰゲートウェイと、
該プライベートアドレス空間においてＳＩＰプロトコルによるＩＰ電話網の制御を行うＳＩＰサーバと、
該プライベートアドレス空間において該ＳＩＰサーバによって該音声パケットが該ＳＩＰプロトコルに則った形式にされた通信パケットに、該イベント情報を付加するイベント制御手段とを備え、
該プライベートアドレス空間において該ＳＩＰプロトコルにより該音声と該イベント情報とを授受可能なＳＩＰ端末と該端末機器との間で、該音声と該イベント情報とを一体で、該プライベートアドレス空間で授受できることを特徴とするＳＩＰ電話交換システム。
【請求項２】
前記イベント制御手段が、
個々の前記端末機器の前記イベント情報と該個々の端末機器の電話番号とを関係づけるデータテーブルを備え、
前記通信パケットに該電話番号を該イベント情報として付加することを特徴とする請求項１記載のＳＩＰ電話交換システム。
【発明の詳細な説明】
【技術分野】
【０００１】
本発明は、ネットワーク上のプライベートアドレス空間で音声通信を行うＳＩＰ電話交換システムに関する。
【背景技術】
【０００２】
従来より、既存のＶｏＩＰ（Voice over Internet Protocol）形式ではない電話機及びその電話交換機と、ＳＩＰ（Session Initiation Protocol）電話機とを相互に接続して通話を行うシステムが提案されている。具体的には、既存のＶｏＩＰ形式ではない電話交換機が、各種のゲートウェイを介して例えば同一ネットワーク内のＳＩＰサーバに接続され、ＳＩＰサーバを介して同一ネットワーク内の情報端末と通話が可能となっている（プライベートアドレス空間内のＳＩＰ電話機の背景技術については、特許文献１を参照）。
【０００３】
尚、特許文献１記載のシステムは、ルータで閉じられたプライベートアドレス空間に配置され、ルータのグローバルアドレス空間に配置されているＳＩＰサーバに登録を行うことで電話機サービスが利用可能なＳＩＰ電話機が、通信相手が同一ネットワーク内に存在しているかどうかを確認する確認手段と、確認手段で通信相手が同一ネットワーク内に存在していることが確認された時に通信相手との間でルータとＳＩＰサーバとを経由してプライベートアドレス空間内でメディア通信用プライベートアドレスの情報交換を行う手段とを有するもので、ＳＩＰ電話機相互での情報交換を可能としている。
【先行技術文献】
【特許文献】
【０００４】
【特許文献１】特開２００９−１１８１９８号公報
【発明の概要】
【発明が解決しようとする課題】
【０００５】
しかしながら、従来の既存のＶｏＩＰ形式ではない電話交換機が、各種のゲートウェイを介して例えば同一ネットワーク内のＳＩＰサーバに接続され、ＳＩＰサーバを介して同一ネットワーク内の情報端末と通話が可能となっている場合、通話の音声情報は電話交換機を介して該情報端末との間で授受（通話）可能となっているが、電話交換機に接続された従来の既存のＶｏＩＰ形式ではない端末機器の操作情報及びポート番号を含むイベント情報は、該同一ネットワークを介して、該情報端末に送るような仕組みにはなっておらず、使い勝手の悪いものになっていた。
【０００６】
本発明は、このような事情に鑑みてなされたもので、ＶｏＩＰ形式ではない電話交換機及び端末機器の音声及びイベント情報を、ＳＩＰサーバを介してネットワーク上のプライベートアドレス空間のＳＩＰ端末との間で授受できるＳＩＰ電話交換システムを提供することにある。
【課題を解決するための手段】
【０００７】
請求項１記載のＳＩＰ電話交換システムは、音声を授受するための端末機器が接続されると共に、端末機器の操作情報及びポート番号を含むイベント情報をプライベートアドレス空間に出力可能な電話交換機と、電話交換機からの音声を、音声パケットに変換してプライベートアドレス空間に接続するＶｏＩＰゲートウェイと、プライベートアドレス空間においてＳＩＰプロトコルによるＩＰ電話網の制御を行うＳＩＰサーバと、プライベートアドレス空間においてＳＩＰサーバによって音声パケットがＳＩＰプロトコルに則った形式にされた通信パケットに、イベント情報を付加するイベント制御手段とを備え、プライベートアドレス空間においてＳＩＰプロトコルにより音声とイベント情報とを授受可能なＳＩＰ端末と端末機器との間で、音声とイベント情報とを一体で、プライベートアドレス空間で授受できることを特徴とする。
【０００８】
請求項２記載のＳＩＰ電話交換システムは、イベント制御手段が、個々の端末機器のイベント情報と個々の端末機器の電話番号とを関係づけるデータテーブルを備え、通信パケットに電話番号をイベント情報として付加することを特徴とする。
【発明の効果】
【０００９】
請求項１の発明によれば、ＶｏＩＰ形式ではない電話交換機及び端末機器の音声及びイベント情報を、ＳＩＰサーバを介してネットワーク上のプライベートアドレス空間のＳＩＰ端末との間で授受でき、音声信号に重畳できないような複雑なイベント情報をも授受できる。
【００１０】
請求項２の発明によれば、イベント制御手段が、個々の端末機器のイベント情報と個々の端末機器の電話番号とを関係づけるデータテーブルを備え、通信パケットに電話番号をイベント情報として付加することから、ネットワーク上のプライベートアドレス空間で端末機器の特定や管理が容易になる。
【図面の簡単な説明】
【００１１】
【図１】本発明に係るＳＩＰ電話交換システムの一例を示す構成図である。
【発明を実施するための形態】
【００１２】
以下、本発明の形態について図面を参照しながら具体的に説明する。図１は、本発明に係るＳＩＰ電話交換システムの一例を示す構成図である。
【００１３】
図におけるＳＩＰ電話交換システム１は、ネットワーク上のプライベートアドレス空間で音声通信を行うもので、電話交換機１０、ＶｏＩＰゲートウェイ２２，２４、ＳＩＰ（Session Initiation Protocol）サーバ２０、イベント制御部２６等から構成されている。
【００１４】
電話交換機１０は、既存のＶｏＩＰ（Voice over Internet Protocol）形式ではない電話機やその端末機器を、集約して相互に音声通信を可能にするためのものである。電話交換機１０に接続される端末機器としては、ＶｏＩＰ形式ではない電話機１２、ドアホン１４、コードレス電話機１６ｂ等である。コードレス電話機１６ｂの場合には、電話交換機１０にコードレス電話機基地局１６ａが接続され、その上でコードレス電話機基地局１６ａを介してコードレス電話機１６ｂが電話交換機１０に接続される。このように、端末機器としては、電話交換機１０に接続可能な、ＶｏＩＰ形式ではない音声を授受できる機器であればよい。
【００１５】
ＳＩＰサーバ２０を有するプライベートアドレス空間におけるＳＩＰプロトコルによるＩＰ電話網として構成されるネットワーク６は、ネットワーク６内の機器がＬＡＮ接続されている。このネットワーク６には、ＳＩＰサーバ２０、ＶｏＩＰゲートウェイ２２，２４、イベント制御部２６、電話交換機１０、ハブ３０等が接続されている。
【００１６】
ＳＩＰサーバ２０は、プライベートアドレス空間においてＳＩＰプロトコルによるＩＰ電話網の制御を行うものである。
【００１７】
ＶｏＩＰゲートウェイ２２，２４は、電話交換機１０からの音声を、音声パケットに変換してプライベートアドレス空間に接続するものである。ＶｏＩＰゲートウェイ２２，２４は、具体的には、アナログ電話回線用のインタフェースとしてのＦＸＯ（Foreign Exchange Office）−ＶｏＩＰゲートウェイや、デジタル電話回線用のインタフェースとしてのＢＲＩ（Basic Rate Interface）−ＶｏＩＰゲートウェイである。
【００１８】
イベント制御部２６は、プライベートアドレス空間においてＳＩＰサーバ２０によって音声パケットがＳＩＰプロトコルに則った形式にされた通信パケットに、イベント情報を付加するイベント制御手段である。このイベント情報とは、端末機器の操作情報及びポート番号を含む情報で、個々の端末機器を特定したり、個々の端末機器の動作を示す情報である。尚、イベント制御部２６は、ネットワーク６に単独で接続されてもよいし、例えばＳＩＰサーバ２０のような他の機器の中に組み込まれてもよい。
【００１９】
電話交換機１０は、ＶｏＩＰゲートウェイ２２，２４に対して電話回線が接続される一方、イベント情報をプライベートアドレス空間に出力可能にネットワークに接続されている。
【００２０】
ネットワーク６には、例えば、ハブ３０を介して、ＳＩＰ端末として機能するパーソナルコンピュータ３２や情報端末３４ｂが接続されている。無線式の情報端末３４ｂの場合には、ネットワーク上に（ハブ３０に）無線ＬＡＮ基地局３４ａが接続され、その上で無線ＬＡＮ基地局３４ａを介して情報端末３４ｂがネットワーク６に接続される。尚、ＳＩＰ端末としては、ＳＩＰプロトコルで音声やイベント情報が授受できれば、その形態によって制限されるものではない。
【００２１】
また、上述の構成では、接続できるＳＩＰ端末を増やす等の意図でハブ３０を用いた形態で説明しているが、ハブ３０を用いずにネットワーク６を拡張するようにしてもよい。また、ＶｏＩＰゲートウェイ２２，２４に他の電話交換機を接続したり、ＶｏＩＰゲートウェイを増やして、その増やしたＶｏＩＰゲートウェイに別の電話交換機を接続して、ＳＩＰ電話交換システム１自体をさらに拡張するようにしてもよい。
【００２２】
次に、ＳＩＰ電話交換システム１の動作を説明する。電話交換機１０に接続された電話機１２やドアホン１４やコードレス電話機１６ｂから、ＳＩＰ端末向けに発呼があった場合で、特にドアホン１４を用いた場合を例示して説明する。
【００２３】
まず、ドアホン１４の呼出ボタンが押されると、ドアホン１４で呼び出しが掛かったことが電話交換機１０で把握される。すると、電話交換機１０は、ドアホン１４からの呼出信号を音声信号として、ＶｏＩＰゲートウェイ２２又はＶｏＩＰゲートウェイ２４に流す。ＶｏＩＰゲートウェイ２２又はＶｏＩＰゲートウェイ２４は、電話交換機１０からの呼出信号を、音声パケットにしてネットワーク６に流す。また、電話交換機１０は、どのドアホン１４の呼出ボタンが押されたかを示すポート番号や呼出ボタンが押された旨のイベント情報を、ネットワーク６に流す。
【００２４】
次に、ＳＩＰサーバ２０が、音声パケットに変換された呼出信号を、ＳＩＰプロトコルに基づいた形式の音声パケットにしてネットワーク６に流しつつ、ＳＩＰプロトコルによりネットワーク６をＩＰ電話網として制御する。
【００２５】
イベント制御部２６では、ネットワーク６上に流れるＳＩＰプロトコルに合致した呼出信号の通信パケットに、同じくネットワーク６上に流れるイベント情報を付加する。
【００２６】
そして、その呼出信号及びイベント情報を含む通信パケットが、ＳＩＰ端末として機能するパーソナルコンピュータ３２や情報端末３４ｂに至り、それらを呼び出すことになる。パーソナルコンピュータ３２や情報端末３４ｂで応答することにより、応答したＳＩＰ端末とドアホン１４との間で、ＳＩＰプロトコルを用いた音声の授受が可能となる。また、ＳＩＰ端末側で、どのポート番号のドアホン１４からの呼び出しであるか等のイベント情報を把握することができる。
【００２７】
電話機１２やコードレス電話機１６ｂのように個別のＳＩＰ端末を指定して呼び出しが行えるような端末機器の場合には、電話交換機１０を介して、呼出信号の他に相手方の電話番号や内線番号が音声信号として、電話交換機１０からＶｏＩＰゲートウェイ２２又はＶｏＩＰゲートウェイ２４を介してネットワーク６に流れることになる。また、電話交換機１０は、電話機１２やコードレス電話機１６ｂで押下された電話番号やその端末機器のポート番号を、イベント情報としてネットワーク６に流す。
【００２８】
次に、ＳＩＰサーバ２０が、音声パケットに変換された電話番号や内線番号を含む呼出信号を、ＳＩＰプロトコルに基づいた形式の音声パケットにしてネットワーク６に流しつつ、ＳＩＰプロトコルによりネットワーク６をＩＰ電話網として制御する。
【００２９】
イベント制御部２６では、ネットワーク６上に流れるＳＩＰプロトコルに合致した呼出信号の通信パケットに、同じくネットワーク６上に流れるイベント情報を付加する。
【００３０】
そして、その電話番号や内線番号を含む呼出信号及びイベント情報を含む通信パケットが、目的のＳＩＰ端末を呼び出すことになり、呼び出されたＳＩＰ端末で応答することにより、応答したＳＩＰ端末と端末装置との間で、ＳＩＰプロトコルを用いた音声の授受が可能となる。また、ＳＩＰ端末側で、どのポート番号の端末機器からの呼び出しであるか等のイベント情報を把握することができる。
【００３１】
尚、上述では、電話交換機１０に接続されている端末機器を、一般家庭やオフィスで一般的に使用される電話機１２やドアホン１４やコードレス電話機１６ｂとしたが、これらに限られるものではなく、例えば、病院内の既存ナースコールシステムの電話交換機を、本発明の電話交換機１０として用い、病院内の電話機やＰＨＳ端末やナースコール用スイッチ（音声の授受が可能なものを含む）を端末機器として用いてＳＩＰ電話交換システムとして構成させることも可能である。
【００３２】
以上のようなＳＩＰ電話交換システム１によれば、ＶｏＩＰ形式ではない電話交換機１０及び端末機器の音声及びイベント情報を、ＳＩＰサーバ２０を介してネットワーク６上のプライベートアドレス空間のＳＩＰ端末との間で授受でき、音声信号に重畳できないような複雑なイベント情報をも授受できる。ＳＩＰサーバ２０等のＳＩＰプロトコルによる流れは、上述に限られたものではなく、例えば、ＶｏＩＰゲートウェイ２２，２４からＳＩＰプロトコルに基づいた形式の音声パケットがネットワーク６に流れ、イベント制御部２６が、そのネットワーク６に流れているＳＩＰプロトコルに基づいた形式の音声パケットにイベント情報を付加するようにしてもよく、ＳＩＰサーバ２０が、付加されたイベント情報に基づいて、ＳＩＰ端末を呼び出して、ＳＩＰ端末とＳＩＰ非対応端末である端末機器と通話するような構成にしてもよい。
【００３３】
また、イベント制御手段であるイベント制御部２６に、あらかじめ、個々の端末機器のイベント情報と個々の端末機器の電話番号とを関係づけるデータテーブルを設けるようにして通信パケットに電話番号をイベント情報として付加することも可能であり、ネットワーク６上のプライベートアドレス空間で端末機器の特定や管理が容易になる。
【産業上の利用可能性】
【００３４】
本発明によれば、ＶｏＩＰ形式ではない電話交換機及び端末機器の音声及びイベント情報を、ＳＩＰサーバを介してネットワーク上のプライベートアドレス空間のＳＩＰ端末との間で授受できるＳＩＰ電話交換システムを提供することができる。
【符号の説明】
【００３５】
１・・・・・ＳＩＰ電話交換システム
６・・・・・ネットワーク
１０・・・・電話交換機
１２・・・・電話機
１４・・・・ドアホン
１６ａ・・・コードレス電話機基地局
１６ｂ・・・コードレス電話機
２０・・・・ＳＩＰサーバ
２２・・・・ＶｏＩＰゲートウェイ
２４・・・・ＶｏＩＰゲートウェイ
２６・・・・イベント制御部
３０・・・・ハブ
３２・・・・パーソナルコンピュータ
３４ａ・・・無線ＬＡＮ基地局
３４ｂ・・・情報端末
【図１】
2014090229.tif 000003